(57)【特許請求の範囲】
【請求項１】
計測用マイクロホンの外側に配置して風雑音の発生を低減する防風スクリーンにおいて、この防風スクリーンはウレタンフォームからなる壁体と、この壁体の外側面に取り付けられる目の粗い外側網体と、前記壁体の内側面に取り付けられる目の細かい内側網体とを備え、前記外側網体はスペーサを介して前記壁体の外側面に取り付けられ、且つ／または、前記内側網体はスペーサを介して前記壁体の内側面に取り付けられることを特徴とする防風スクリーン。
【請求項２】
請求項１に記載の防風スクリーンにおいて、前記ウレタンフォームの密度は０．０１ｇ／ｃｍ３〜０．１ｇ／ｃｍ３、前記ウレタンフォームの厚さは２５ｍｍ〜７５ｍｍ、前記外側網体の目の粗さは０．５ｍｍ〜１．８ｍｍ、前記内側網体の目の粗さは８０μｍ〜１ｍｍとしたことを特徴とする防風スクリーン。
【請求項３】
請求項１に記載の防風スクリーンにおいて、前記壁体の形状は、球体、多面体、円筒形または角筒形をなし、複数の組み立て可能な分割体から構成されることを特徴とする防風スクリーン。
【発明の詳細な説明】
【技術分野】
【０００１】
本発明は、計測用マイクロホンの外側に配置して風雑音の発生を低減する防風スクリーンに関する。
【背景技術】
【０００２】
近年、航空機や道路高架橋、鉄道トンネルなどの交通機関や風力発電設備などから発生する低周波音による苦情が増えている。低周波音を把握するため、屋外で低周波音を測定しようとすると、マイクロホン本体の筐体に風が当たり、風雑音が発生する。この風雑音は１００Ｈｚ以下の低周波成分を含むので、低周波音測定の妨げとなる。このため、従来からマイクロホンにウレタンフォーム製の防風スクリーンを直接被せている。
【０００３】
例えば特許文献１では、ウレタンフォームや不織布からなる防風スクリーンの形状として、偏平な回転対称形をなし回転対称軸が鉛直方向とすることで、風下における乱流の発生を抑制して風雑音がマイクロホンに侵入するのを防止する提案がなされている。
【０００４】
また特許文献２では、低周波音測定の妨げとなる風雑音を低減するために、立方体形状の外側ネット部材と、この外側ネット部材内に配置した立方体形状の内側ネット部材に同じ目の粗さのネットを張り、更に内側ネット部材内に円筒状防風部材と球状防風部材を介してマイクロホンを配置した音検出装置が提案されている。
【先行技術文献】
【特許文献】
【０００５】
【特許文献１】特開平１１−３１３３８６号公報
【特許文献２】特開２００１−９１３５１号公報
【発明の概要】
【発明が解決しようとする課題】
【０００６】
しかし、特許文献１に開示された技術においては、１００Ｈｚ以下の風雑音は対象としておらず、低周波騒音を測定するに足りるだけ風雑音を十分に抑制できる構造になっていない。また、特許文献２に開示された技術においては、課題および実施例で砲撃音の測定に触れていることから１００Ｈｚ以下の風雑音も対象にしているとみることができ，所定の間隔で外側フレームと内側フレームを配置した二重構造の網体を用いてこれを抑制すると主張しているが，内外の網体とも網目の目の粗さが１．０〜２．０ｍｍの同じ素材のものを用いていて，これでは１００Ｈｚまでの低周波領域で風雑音を十分なレベルまで低減することができない。
【課題を解決するための手段】
【０００７】
上記課題を解決すべく本発明に係る防風スクリーンは、ウレタンフォームからなる壁体と、この壁体の外側面に取り付けられる目の粗い外側網体と、前記壁体の内側面に取り付けられる目の細かい内側網体とを備える。
【０００８】
また、前記外側網体はスペーサを介して前記壁体の外側面に取り付けることもできるし、前記内側網体はスペーサを介して前記壁体の内側面に取り付けることもできる。
【０００９】
前記ウレタンフォームの好ましい密度は０．０１ｇ／ｃｍ３〜０．１ｇ／ｃｍ３、前記ウレタンフォームの好ましい厚さは２５ｍｍ〜７５ｍｍ、前記外側網体の好ましい目の粗さは０．５ｍｍ〜１．８ｍｍ、前記内側網体の好ましい目の粗さは８０μｍ〜１ｍｍである。
【００１０】
また、前記壁体の形状は、球体、多面体、円筒形または角筒形内部にマイクロホンが収納できる形状であればよく、特に複数の組み立て可能な分割体から壁体を構成すると、運搬に便利である。
【発明の効果】
【００１１】
一定の間隔をあけて目の粗い外側網体と目の細かい内側網体とを配置することで、風とマイクロホンとの相互作用で発生する風雑音を抑制することができ、また、外側網体と内側網体の間をウレタンフォームとすることで、計測すべき音の採取に影響を与えることなく風雑音を更に抑制することができる。また、スペーサにより網体とウレタンフォームの間に間隙を設けるようにして外側網体と内側網体を取り付ける網体の支持構造とすることは，風の性状によっては網体による風の低減効果の発現が損なわれる可能性があるのを避けることに役立つ。
【図面の簡単な説明】
【００１２】
【図１】本発明に係る防風スクリーンの中にマイクロホンを収納した状態の説明図
【図２】スペーサを介して壁体に外側網体と内側網体を取り付けた場合の説明図
【図３】防風スクリーンを２分割した図で、（ａ）はマイクロホンの中心軸に沿って分割した場合、（ｂ）はマイクロホンの中心軸と直交する面で分割した場合
【図４】マイクロホンを収納した防風スクリーンの断面図で、（ａ）はマイクロホンが剥き出しの場合、（ｂ）はマイクロホンを直径２０ｃｍの従来の防風スクリーンで覆った場合
【発明を実施するための形態】
【００１３】
以下に本発明の実施の形態を添付図面に基づいて説明する。本発明に係る防風スクリーン１は、図１に示すように、ウレタンフォームからなる球形状の壁体２と、この壁体２の外側面に取り付けられる外側網体３と、壁体２の内側面に取り付けられる内側網体４を備えてなる。壁体２には、マイクロホン５を嵌挿するための貫通孔２ａが設けられている。
【００１４】
また、図２に示すように、スペーサ３ａ，４ａを介してウレタンフォームからなる壁体２に外側網体３と内側網体４を取り付けることもできる。スペーサ３ａ，４ａとしては、風雑音の低減効果を損なわない限り、凸形状でも帯状でもよく、形状を問わないが、壁体２を外側網体３と内側網体４から離すことができればよい。
【００１５】
球形状のウレタンフォーム製壁体２は、直径（外径）が２０ｃｍ〜４０ｃｍ、厚みが５ｃｍ〜１０ｃｍに形成され、外側面に目の粗い外側網体３を取り付け、内側面に目の細かい内側網体４を取り付けている。ウレタンフォームの好ましい密度は０．０１ｇ／ｃｍ３〜０．１ｇ／ｃｍ３、外側網体３の好ましい目の粗さは０．５ｍｍ〜１．８ｍｍ、内側網体４の好ましい目の粗さは８０μｍ〜１ｍｍである。
【００１６】
上記とは逆に壁体２外側面に目の細かい外側網体３を取り付け、内側面に目の粗い内側網体４を取り付けると、外側網体３での空気抵抗が大きく風の乱れも発生する。
【００１７】
防風スクリーン１内に収納されるマイクロホン５は、スタンド６により所望の位置で支持される。スタンド６は、マイクロホン５を支持する支持部６ａと、支持部６ａを所定の高さに安定させた状態で維持する３本の脚部６ｂからなる。３本の脚部６ｂは、使い勝手を考慮して夫々伸縮自在で且つ１本にまとめることができる。
【００１８】
また、防風スクリーン１は、従来の防風スクリーン１０を被せたマイクロホン５を収納するため、図３に示すように、２分割できるように構成されている。２分割の仕方は、図３（ａ）に示すように、マイクロホン５の中心軸５ａに沿って分割して２つの分割体２ｂ，２ｃとすることもできるし、図３（ｂ）に示すように、マイクロホン５の中心軸５ａと直交する面で分割して２つの分割体２ｄ，２ｅとすることもできる。防風スクリーン１の分割の仕方は、これらに限定されるものではなく、且つ３分割以上でもよい。
【００１９】
マイクロホン５を防風スクリーン１に収納する際には、マイクロホン５を、図１に示すように直径７ｃｍ〜９ｃｍの従来の防風スクリーン１０で覆うか、図４（ａ）に示すようにそのまま剥き出しにするか、または図４（ｂ）に示すように直径２０ｃｍの従来の防風スクリーン１１で覆うかすることができる。
【００２０】
本発明の実施の形態では、防風スクリーン１の形状として球形のものを示したが、多面体、円筒形または角筒形でもよい。更に、防風スクリーン１を組み立て分解可能な複数の分割体にて構成することで、運搬に便利になる。
【産業上の利用可能性】
【００２１】
本発明によれば、少なくとも１００Ｈｚ以下の低周波領域で風雑音を十分なレベルまで低減することができる防風スクリーンが提供される。
【符号の説明】
【００２２】
１…防風スクリーン、２…壁体、２ａ…貫通孔、２ｂ，２ｃ，２ｄ，２ｅ…分割体、３…外側網体、３ａ，４ａ…スペーサ、４…内側網体、５…マイクロホン、６…スタンド、６ａ…支持部、６ｂ…脚部、１０，１１…従来の防風スクリーン。
【図１】
0005296579.tif 000002
【図２】
0005296579.tif 000003
【図３】
0005296579.tif 000004
【図４】
0005296579.tif 000005